(57)【要約】【課題】飲料の注出における演出効果を高めることができる飲料注出装置及びビールサーバ装置を提供する。【解決手段】ビールの液体を注ぎ出す液体注出口３１と、ビールの泡を注ぎ出す泡注出口４１と、ビールの液体及びビールの泡の注出開始及び停止を操作する操作レバーと、液体注出口３１から注ぎ出されるビールの液体に光を照射するＬＥＤ発光装置５０と、ビールの液体の注出開始及び停止を検知する検知部３５と、を有し、検知部３５がビールの液体の注出開始を検知すると、ＬＥＤ発光装置５０が発光して液体注出口３１から注ぎ出されるビールの液体に光を照射し、検知部３５がビールの液体の注出停止を検知すると、ＬＥＤ発光装置５０が発光を停止するようになっているビールサーバ装置とした。【選択図】図２
0003191408.tif 000002
【実用新案登録請求の範囲】
【請求項１】
飲料を注ぎ出す注出口と、
飲料の注出開始及び停止を操作する操作部と、
前記注出口から注ぎ出される飲料に光を照射するＬＥＤ発光装置と、
飲料の注出開始及び停止を検知する検知部と、
を有し、
前記検知部が飲料の注出開始を検知すると、前記ＬＥＤ発光装置が発光して前記注出口から注ぎ出される飲料に光を照射し、前記検知部が飲料の注出停止を検知すると、前記ＬＥＤ発光装置が発光を停止するようになっていることを特徴とする飲料注出装置。
【請求項２】
飲料を注ぎ出す本体側注出口と、
飲料の注出開始及び停止を操作する操作部と、
を備えた飲料注出装置本体を有すると共に、
前記本体側注出口に着脱可能に取り付けられ、前記本体側注出口に連通して飲料を注ぎ出す注出口を有する注出部と、
前記注出口から注ぎ出される飲料に光を照射するＬＥＤ発光装置と、
飲料の注出開始及び停止を検知する検知部と、
を備えた取付器具を有しており、
前記検知部が飲料の注出開始を検知すると、前記ＬＥＤ発光装置が発光して前記注出口から注ぎ出される飲料に光を照射し、前記検知部が飲料の注出停止を検知すると、前記ＬＥＤ発光装置が発光を停止するようになっていることを特徴とする請求項１に記載の飲料注出装置。
【請求項３】
前記ＬＥＤ発光装置は、前記注出口から注ぎ出される飲料の注出方向に沿うように、飲料に対して光が照射されるようになっていることを特徴とする請求項１又は２に記載の飲料注出装置。
【請求項４】
ビールの液体を注ぎ出す液体注出口と、
ビールの泡を注ぎ出す泡注出口と、
ビールの液体及びビールの泡の注出開始及び停止を操作する操作部と、
前記液体注出口から注ぎ出されるビールの液体に光を照射するＬＥＤ発光装置と、
ビールの液体の注出開始及び停止を検知する検知部と、
を有し、
前記検知部がビールの液体の注出開始を検知すると、前記ＬＥＤ発光装置が発光して前記液体注出口から注ぎ出されるビールの液体に光を照射し、前記検知部がビールの液体の注出停止を検知すると、前記ＬＥＤ発光装置が発光を停止するようになっていることを特徴とするビールサーバ装置。
【請求項５】
ビールの液体を注ぎ出す本体側液体注出口と、
ビールの泡を注ぎ出す本体側泡注出口と、
ビールの液体及びビールの泡の注出開始及び停止を操作する操作部と、
を備えたビールサーバ装置本体を有すると共に、
前記本体側液体注出口に着脱可能に取り付けられ、前記本体側液体注出口に連通してビールの液体を注ぎ出す液体注出口を有する液体注出部と、
前記本体側泡注出口に着脱可能に取り付けられ、前記本体側泡注出口に連通してビールの泡を注ぎ出す泡注出口を有する泡注出部と、
前記液体注出口から注ぎ出されるビールの液体に光を照射するＬＥＤ発光装置と、
ビールの液体の注出開始及び停止を検知する検知部と、
を備えた取付器具を有しており、
前記検知部がビールの液体の注出開始を検知すると、前記ＬＥＤ発光装置が発光して前記液体注出口から注ぎ出されるビールの液体に光を照射し、前記検知部がビールの液体の注出停止を検知すると、前記ＬＥＤ発光装置が発光を停止するようになっていることを特徴とする請求項４に記載のビールサーバ装置。
【請求項６】
前記ＬＥＤ発光装置は、前記液体注出口から注ぎ出されるビールの液体の注出方向に沿うように、ビールの液体に対して光が照射されるようになっていることを特徴とする請求項４又は５に記載のビールサーバ装置。
【考案の詳細な説明】
【技術分野】
【０００１】
本考案は、飲料注出装置及びビールサーバ装置に関するものである。
【背景技術】
【０００２】
従来、例えばビールサーバ装置のように、レバー等の操作部を操作することで、注出口から飲料を注出する飲料注出装置がある（例えば、特許文献１参照）。
【先行技術文献】
【特許文献】
【０００３】
【特許文献１】特開２００２−６８３８１号公報
【考案の概要】
【考案が解決しようとする課題】
【０００４】
ここで、飲食店等がビール等の飲料を客に提供する際に、客から見える所で飲料をグラス等に注ぎ、当該飲料をグラス等に注ぐ様子を客に見せるようになっている場合がある。しかし、前記した特許文献１のビールサーバ装置のような、従来の飲料注出装置は、単にビール等の飲料をグラス等に注ぎ出すだけの装置であるため、客に対する演出効果を多く期待できるものではなかった。そのため、さらなる演出効果が期待できる飲料注出装置の登場が待ち望まれていた。
【０００５】
本考案は、このような事情に鑑みてなされたものであり、飲料の注出における演出効果を高めることができる飲料注出装置及びビールサーバ装置を提供することを目的とする。
【課題を解決するための手段】
【０００６】
かかる課題を解決するために、本考案の請求項１に記載の考案は、飲料を注ぎ出す注出口と、飲料の注出開始及び停止を操作する操作部と、前記注出口から注ぎ出される飲料に光を照射するＬＥＤ発光装置と、飲料の注出開始及び停止を検知する検知部と、を有し、前記検知部が飲料の注出開始を検知すると、前記ＬＥＤ発光装置が発光して前記注出口から注ぎ出される飲料に光を照射し、前記検知部が飲料の注出停止を検知すると、前記ＬＥＤ発光装置が発光を停止するようになっている飲料注出装置としたことを特徴とする。
【０００７】
また、本考案の請求項２に記載の考案は、請求項１に記載の飲料注出装置において、飲料を注ぎ出す本体側注出口と、飲料の注出開始及び停止を操作する操作部と、を備えた飲料注出装置本体を有すると共に、前記本体側注出口に着脱可能に取り付けられ、前記本体側注出口に連通して飲料を注ぎ出す注出口を有する注出部と、前記注出口から注ぎ出される飲料に光を照射するＬＥＤ発光装置と、飲料の注出開始及び停止を検知する検知部と、を備えた取付器具を有しており、前記検知部が飲料の注出開始を検知すると、前記ＬＥＤ発光装置が発光して前記注出口から注ぎ出される飲料に光を照射し、前記検知部が飲料の注出停止を検知すると、前記ＬＥＤ発光装置が発光を停止するようになっていることを特徴とする。
【０００８】
また、本考案の請求項３に記載の考案は、請求項１又は２に記載の飲料注出装置において、前記ＬＥＤ発光装置は、前記注出口から注ぎ出される飲料の注出方向に沿うように、飲料に対して光が照射されるようになっていることを特徴とする。
【０００９】
また、本考案の請求項４に記載の考案は、ビールの液体を注ぎ出す液体注出口と、ビールの泡を注ぎ出す泡注出口と、ビールの液体及びビールの泡の注出開始及び停止を操作する操作部と、前記液体注出口から注ぎ出されるビールの液体に光を照射するＬＥＤ発光装置と、ビールの液体の注出開始及び停止を検知する検知部と、を有し、前記検知部がビールの液体の注出開始を検知すると、前記ＬＥＤ発光装置が発光して前記液体注出口から注ぎ出されるビールの液体に光を照射し、前記検知部がビールの液体の注出停止を検知すると、前記ＬＥＤ発光装置が発光を停止するようになっているビールサーバ装置としたことを特徴とする。
【００１０】
また、本考案の請求項５に記載の考案は、請求項４に記載のビールサーバ装置において、ビールの液体を注ぎ出す本体側液体注出口と、ビールの泡を注ぎ出す本体側泡注出口と、ビールの液体及びビールの泡の注出開始及び停止を操作する操作部と、を備えたビールサーバ装置本体を有すると共に、前記本体側液体注出口に着脱可能に取り付けられ、前記本体側液体注出口に連通してビールの液体を注ぎ出す液体注出口を有する液体注出部と、前記本体側泡注出口に着脱可能に取り付けられ、前記本体側泡注出口に連通してビールの泡を注ぎ出す泡注出口を有する泡注出部と、前記液体注出口から注ぎ出されるビールの液体に光を照射するＬＥＤ発光装置と、ビールの液体の注出開始及び停止を検知する検知部と、を備えた取付器具を有しており、前記検知部がビールの液体の注出開始を検知すると、前記ＬＥＤ発光装置が発光して前記液体注出口から注ぎ出されるビールの液体に光を照射し、前記検知部がビールの液体の注出停止を検知すると、前記ＬＥＤ発光装置が発光を停止するようになっていることを特徴とする。
【００１１】
また、本考案の請求項６に記載の考案は、請求項４又は５に記載のビールサーバ装置において、前記ＬＥＤ発光装置は、前記液体注出口から注ぎ出されるビールの液体の注出方向に沿うように、ビールの液体に対して光が照射されるようになっていることを特徴とする。
【考案の効果】
【００１２】
本考案の請求項１に記載の考案によれば、ＬＥＤ発光装置で、注出口から注ぎ出される飲料に光を照射して、当該注ぎ中の飲料を光らせることで、注ぎ中の飲料を目立たせ、これにより、飲料の注出における演出効果を高めることができる。
【００１３】
また、本考案の請求項２に記載の考案によれば、請求項１に記載の考案における効果に加え、ＬＥＤ発光装置を備えた取付器具を飲料注出装置本体に取り付けるようになっていることで、既存の飲料注出装置であっても、注ぎ中の飲料を光らせることができる。
【００１４】
また、本考案の請求項３に記載の考案によれば、請求項１又は２に記載の考案における効果に加え、ＬＥＤ発光装置が、注出口から注ぎ出される飲料の注出方向に沿うように、飲料に対して光が照射されるように、光の照射方向が設定されているため、注ぎ中の飲料におけるより長い部分を光らせることができ、注ぎ中の飲料をより目立たせ、飲料の注出における演出効果をより高めることができる。
【００１５】
また、本考案の請求項４に記載の考案によれば、ＬＥＤ発光装置で、液体注出口から注ぎ出されるビールの液体に光を照射して、当該注ぎ中のビールの液体を光らせることで、注ぎ中のビールの液体を目立たせ、これにより、ビールの液体の注出における演出効果を高めることができる。
【００１６】
また、本考案の請求項５に記載の考案によれば、請求項４に記載の考案における効果に加え、ＬＥＤ発光装置を備えた取付器具をビールサーバ装置本体に取り付けるようになっていることで、既存のビールサーバ装置であっても、注ぎ中のビールの液体を光らせることができる。
【００１７】
また、本考案の請求項６に記載の考案によれば、請求項１又は２に記載の考案における効果に加え、ＬＥＤ発光装置が、液体注出口から注ぎ出されるビールの液体の注出方向に沿うように、ビールの液体に対して光が照射されるように、光の照射方向が設定されているため、注ぎ中のビールの液体におけるより長い部分を光らせることができ、注ぎ中のビールの液体をより目立たせ、ビールの液体の注出における演出効果をより高めることができる。
【図面の簡単な説明】
【００１８】
【図１】本考案の実施の形態に係るビールサーバ装置を示す正面図である。
【図２】本考案の実施の形態に係るビールサーバ装置における取付器具をビールサーバ装置本体に取り付ける際の正面図である。
【図３】本考案の実施の形態に係るビールサーバ装置における電気的構成を示すブロック図である。
【考案を実施するための形態】
【００１９】
以下、本考案の実施の形態について、図面を参照して詳細に説明する。なお、本考案の実施の形態では、飲料注出装置のうちのビールサーバ装置について、図１〜図３を用いて説明する。図１は、本考案の実施の形態に係るビールサーバ装置を示す正面図であり、図２は、本考案の実施の形態に係るビールサーバ装置における取付器具をビールサーバ装置本体に取り付ける際の正面図であり、図３は、本考案の実施の形態に係るビールサーバ装置における電気的構成を示すブロック図である。
【００２０】
本実施の形態のビールサーバ装置１は、図１に示すように、飲料注出装置本体としてのビールサーバ装置本体１０と、このビールサーバ装置本体１０に着脱可能に取り付けられる取付器具２０とを有している。
【００２１】
このうち、ビールサーバ装置本体１０は、図１に示すように、土台Ｇに固定された縦長形状で主にステンレス等の金属製のタワー部１１を有しており、このタワー部１１の上部において側方に突出した箇所に、別部材で構成された主にステンレス等の金属製の本体側注出部１２が固定されている。そして、タワー部１１の内部には、土台Ｇ側のビールタンク（図示省略）から本体側注出部１２に繋がる配管（図示省略）が配設されており、当該配管を通って、飲料としてのビールがビールタンクから本体側注出部１２に供給されるようになっている。
【００２２】
さらに、本体側注出部１２の先端１３には、本体側注出口としての本体側液体注出口１４と、本体側泡注出口１５を有しており、タワー部１１から本体側注出部１２に繋がる配管が本体側注出部１２内で分岐して、それぞれの注出口１４，１５に繋がっている。また、本体側本体側注出部１２におけるこれら注出口１４，１５の略上方に、操作部としての操作レバー１６を有している。そして、例えば操作レバー１６をビールサーバ装置１の手前側（図１の左側）に倒すと、本体側液体注出口１４からビールの液体が注ぎ出され、操作レバー１６をビールサーバ装置１の奥側（図１の右側）に倒すと、本体側泡注出口１５からビールの泡が注ぎ出されるように構成されている。なお、操作レバー１６を手前側に倒すことで本体側液体注出口１４からビールの液体が注ぎ出される構成の詳細及び操作レバー１６を奥側に倒すことで本体側泡注出口１５からビールの泡が注ぎ出される構成の詳細については、図示及び説明を省略する。
【００２３】
次に、取付器具２０について説明する。本実施の形態の取付器具２０は、図２に示すように、注出部としての液体注出部３０と、泡注出部４０と、ＬＥＤ発光装置５０と、接続コード６０と、制御部７０と、コンセント部８０と、アタッチメント９０とを有している。
【００２４】
このうち、液体注出部３０は、筒状の部材であり、本体側液体注出口１４に接続されてビールタンクから供給されたビールの液体を注ぎ出す部位である。具体的には、液体注出部側接続口３２が、後述するアタッチメント９０を介して本体側液体注出口１４に接続されており、その本体側液体注出口１４から注ぎ出されたビールの液体が、液体注出部３０の内部を通って、注出口としての液体注出口３１から外部に注ぎ出されるようになっている。なお、液体注出部パッキン３３は、液体注出口側接続口３２をアタッチメント９０と接続したときに、双方を密着させて接続部分からビールの液体が漏れ出ないようにするために内部に配置されたゴム製パッキンである。また、液体注出部３０の内壁には、ビールの液体が当該液体注出部３０の内部を流れているか流れていないかを検知する検知部３５が配設されている。なお、検知部３５の詳細については、後述する。
【００２５】
また、泡注出部４０は、液体注出部３０より細径の筒状の部材であり、本体側泡注出口１５に接続されてビールの泡を注ぎ出す部位である。具体的には、泡注出部側接続部４２が、本体側泡注出口１５に挿入されて接続されており、ビールタンクから供給されたビールの液体を泡状にしたものが本体側泡注出口１５から注ぎ出され、当該ビールの泡が、泡注出部４０の内部を通って、泡注出口４１から外部に注ぎ出されるようになっている。なお、泡注出部パッキン４３は、泡注出部側接続部４２を本体側泡注出口１５に挿入して本体側注出部１２と接続したときに、双方を密着させて接続部分からビールの泡が漏れ出ないようにするためのゴム製パッキンである。
【００２６】
また、アタッチメント９０は、本体側注出部１２の本体側液体注出口１４と、径の異なる液体注出部３０の液体注出口側接続口３２とを繋ぐための筒状部材であり、本体側液体注出口１４に挿入して接続される太径接続部９２と、液体注出口側接続口３２に挿入して接続される細径接続部９１が形成されている。また、太径接続部９２には、当該太径接続部９２を本体側液体注出口１４に挿入して本体側注出部１２と接続したときに、双方を密着させて接続部分からビールの液体が漏れ出ないようにするためのゴム製パッキンであるアタッチメントパッキン９３が配置されている。なお、細径接続部９１は、当該細径接続部９１を液体注出口側接続口３２に挿入して液体注出部３０と接続したときに、前記した液体注出部パッキン３３によって双方を密着させて接続部分からビールの液体が漏れ出ないようになっている。
【００２７】
また、アタッチメント９０の細径接続部９１と太径接続部９２の境界部には、フランジ状のストッパ部９４が形成されている。そして、細径接続部９１を液体注出口側接続口３２に挿入すると共に、太径接続部９２を本体側液体注出口１４に挿入した際に、ストッパ部９４が、一方側で液体注出口側接続口３２の周囲と当接し、他方側で本体側液体注出口１４の周囲と当接することで、アタッチメント９０の細径接続部９１と太径接続部９２がそれぞれ液体注出口側接続口３２と本体側液体注出口１４に接続されるときの挿入量が規定されるようになっている。
【００２８】
また、液体注出部３０における泡注出部４０が配置された側と反対側の側面３４には、ＬＥＤ発光装置５０が液体注出部３０に固定されている。このＬＥＤ発光装置５０において液体注出口３１と同じ側に位置する先端５１には、所定の指向性を有するＬＥＤの発光部５２が配置されており、当該発光部５２から発せられる光が、液体注出口３１から注ぎ出されるビールの液体に対して照射されるように配置されている。特に、本実施の形態では、液体注出口３１が注ぎ出された直後（液体注出口３１からすぐ近くの位置）からビールの液体に光を照射するように、発光部５２が配置されている。また、本実施の形態では、当該発光部５２から照射される光の照射方向Ｂが、液体注出口３１から注ぎ出されるビールの注出方向Ａに沿うように（すなわち、略同じ方向を向くように）設定されている。これにより、注ぎ中のビールの液体に対して、より長い距離に光を照射することができ、その結果、注ぎ中のビールの液体におけるより長い部分を光らせることができるようになっている。
【００２９】
また、前記したように、本実施の形態では、液体注出部３０の内壁に、ビールの液体が当該液体注出部３０の内部を流れているか流れていないかを検知する検知部３５（図２，３参照）が配設されている。具体的には、本実施の形態の検知部３５は、ビール（飲料）等の液体が通ることで変化する静電容量を検知する静電容量型近接スイッチを備えたセンサであり、ビールが流れることでこの検知部３５が反応してビールの注出開始を検知し、ビールの流れが停止することでこの検知部３５が反応してビールの注出停止を検知するものである。
【００３０】
また、この検知部３５には、図示しない電気配線が繋がっており、この電気配線が接続コード６０の内部を通って制御部７０（図２，３参照）に繋がっている。この制御部７０には、図示しない制御基板が配設されており、これが電気配線を介して検知部３５及びＬＥＤ発光装置５０（図２，３参照）に繋がっていて、ビールの液体の注出開始及び停止に応じてＬＥＤを発光させたり発光停止（消灯）させたりするようになっている。
【００３１】
なお、本実施の形態の制御部７０は、ＡＣアダプタの機能も備えている。すなわち、制御部７０と検知部３５及びＬＥＤ発光装置５０とを繋ぐ接続コード６０とは別の接続コード６５を介して、制御部７０がコンセント部８０に繋がっており、当該コンセント部８０を介して、外部の電源Ｅ（図３参照）から供給された交流電源を、制御部７０で直流電源に変換した後に、当該制御部７０と検知部３５とＬＥＤ発光装置５０に電力を供給するようになっている。
【００３２】
そして、操作者が操作レバー１６を手前側（図１の左側）に倒して、ビールタンクから供給されたビールの液体を液体注出部３０の液体注出口３１から注出開始すると、図２に示す液体注出部３０の内壁に配設された検知部３５でビールの注出開始を検知する。この情報は、図２，３に示すように、接続コード６０の内部の電気配線を介して制御部７０に送信される。そして、当該制御部７０でビールの注出開始の情報が受信されると、図３に示すように、ＬＥＤ発光装置５０に対して、発光部５２から光を発するように制御指示を送信する。
【００３３】
そして、ＬＥＤ発光装置５０では、当該制御指示を受信すると、発光部５２から光の発を開始し、注ぎ中のビールの液体の注出方向Ａに沿うように、発光部５２からビールの液体に対して、光が照射方向Ｂに照射される。
【００３４】
その後、操作者が操作レバー１６を元のニュートラル（図１に示す操作レバーが倒れていない位置）の位置に戻すと、ビールタンクから供給されたビールの液体が液体注出部３０の液体注出口３１から注出停止され、液体注出部３０の内壁に配設された検知部３５でビールの注出停止を検知する。この抽出停止の情報は、前記した注出開始と同様に、接続コード６０の内部の電気配線を介して制御部としての制御部７０に送信され、当該制御部７０でビールの注出停止の情報が受信されると、ＬＥＤ発光装置５０に対して、発光部５２からの光を停止するように制御指示を送信する。
【００３５】
以上のように、本実施の形態のビールサーバ装置１０は、検知部３５がビールの液体の注出開始を検知すると、ＬＥＤ発光装置５０が発光して液体注出口３１から注ぎ出されるビールの液体に光を照射するようになっており、当該注ぎ中のビールの液体を光らせることで、注ぎ中のビールの液体を目立たせ、これにより、ビールの液体の注出における演出効果を高めることができる。
【００３６】
また、本実施の形態のビールサーバ装置１０は、前記した効果に加え、ＬＥＤ発光装置５０を備えた取付器具２０をビールサーバ装置本体１０に取り付けるようになっていることで、既存のビールサーバ装置１であっても、注ぎ中のビールの液体を光らせることができる。
【００３７】
また、本実施の形態のビールサーバ装置１０は、前記した効果に加え、ＬＥＤ発光装置５０が、液体注出口３１から注ぎ出されるビールの液体の注出方向Ａに沿うように、ビールの液体に対して光が照射されるように、光の照射方向Ｂが設定されているため、注ぎ中のビールの液体におけるより長い部分を光らせることができ、注ぎ中のビールの液体をより目立たせ、ビールの液体の注出における演出効果をより高めることができる。
【００３８】
なお、以上説明した実施の形態は、本考案の理解を容易にするために記載されたものであって、本考案を限定するために記載されたものではない。
【００３９】
例えば、前記した実施の形態では、ビールをグラス等に注ぎ出すビールサーバ装置１について説明したが、これに限るものではなく、コーヒーやジュース等の他の飲料を注ぎ出す種々の飲料注出装置に本発明を適用しても良い。
【００４０】
また、前記した実施の形態では、ビールサーバ装置本体（飲料注出装置本体）１０にＬＥＤ発光装置５０を備えた取付器具２０を着脱可能に取り付けるものであったが、これに限るものではなく、ビールサーバ装置（飲料注出装置）に対して、ＬＥＤ発光装置及び検知部が取り外せないように予め設けられているものであっても良い。
【００４１】
また、前記した実施の形態では、取付器具２０における液体注出口３１と泡注出口４１が別部材となっていたが、これに限るものではなく、液体注出口と泡注出口が一体となっていても良い。
【００４２】
また、前記した実施の形態では、液体注出口（注出口）３１を有する液体注出部（注出部）３０の側面３４にＬＥＤ発光装置５０が設けられていたが、これに限るものではなく、注ぎ中の飲料を光らせることができれば、他の箇所にＬＥＤ発光装置が設けられていても良い。
【００４３】
また、前記した実施の形態では、検知部３５として、液体注出部３０の内部のビール（飲料）が流れる箇所（すなわち、内壁）に静電容量型近接スイッチを備えたセンサを設けており、ビールが流れることでこの静電容量型近接スイッチが反応してビールの注出開始を検知し、ビールの流れが停止することでこの静電容量型近接スイッチが反応してビールの注出停止を検知するようになっていたが、これに限るものではなく、他の位置に検知部が備えられていても良いし、また、検知部として、静電容量型近接スイッチを備えたセンサ以外の他の方式のセンサが用いられても良い。
【００４４】
他の方式のセンサとしては、例えば、ビールの流れの有無に応じて電位差を測定するホール素子、投光部から出した光（赤外線も含む）が受光部に到達したかどうかでビールの有無を測定する光電センサ、水流によって動くように配置されたパドル等に磁石が取り付けられていてその磁石による磁界の変化を検知するリード・スイッチ、放出された超音波が遮断されるかどうかや反射して戻ってくるまでの時間を測定してビールの有無を検知する超音波センサ等、適宜の方式のセンサを利用すれば良い。また、検知部が備えられる他の箇所及びそのとき用いられる計測方式としては、ＬＥＤ発光装置の先端に赤外線等の光電センサを設け、この光電センサで液体注出口（注出口）からビールが注ぎ出されたことを検知する場合等が挙げられる。
【００４５】
また、前記した実施の形態では、ビールの注出開始及び停止を検知する検知部として、ビールによる水流の有無又は速さを検知するものが用いられていたが、これに限るものではなく、適宜の検知部でビール等の飲料の注出開始及び停止を検知するようになっていれば良い。例えば、操作レバーに検知部としてＬＥＤ発光装置用スイッチが付いていて、操作レバーを手前側（ビールの液体が注ぎ出される側）に倒すと当該スイッチがＯＮとなり、これによってＬＥＤ発光装置の発光スイッチがＯＮとなって発光し、操作レバーを元のニュートラルの位置に戻すとＬＥＤ発光装置用スイッチがＯＦＦとなり、これによってＬＥＤ発光装置の発光スイッチがＯＦＦとなって発光が停止するようになっていても良い。なお、このようなセンサを使用しない構成のときには、検知部としてのＬＥＤ発光装置用スイッチと、ＬＥＤ発光装置の発光スイッチとが、制御部を介して繋がっていても、制御部を介さずに直接繋がっていても良い。
【００４６】
また、前記した実施の形態では、ビールの液体に光を照射するようになっていたが、これに限るものではなく、ビールの泡にも光を照射するようになっていても良い。その場合、前記した実施の形態で記載したビールの液体用の検知部３５の他に、ビールの泡用の検知部を配置する必要がある。また、ＬＥＤ発光装置については、ビールの液体に光を照射するＬＥＤ発光装置とは別個に、ビールの泡に光を照射するＬＥＤ発光装置を備えていても良いし、ビールの液体に光を照射するＬＥＤ発光装置が液体と泡の双方に光を照射できるように、双方の注出口やＬＥＤ発光装置が配置されていても良い。
【００４７】
また、前記した実施の形態では、種々の部材がステンレス等の金属で主に構成されていたが、これに限るものではなく、これらは樹脂等の他の材質で構成されていても良い。
【００４８】
また、前記した実施の形態では、検知部３５からの検知結果を受けてＬＥＤ発光装置５０の発光状態を指示する制御部７０とＡＣアダプタとが同じ筐体に配設されていたが、これに限るものではなく、ＬＥＤ発光装置の一部等、ＡＣアダプタとは異なる前記した本発明の構成の別の部材に、制御基板を有する制御部が配設されていても良い。またさらに、制御部が前記した本発明の構成部材とは全く別の部材に備えられていても良い。
【符号の説明】
【００４９】
１  ビールサーバ装置（飲料注出装置）
１０  ビールサーバ装置本体（飲料注出装置本体）
１４  本体側液体注出口（本体側注出口）
１６  操作レバー（操作部）
２０  取付器具
３０  液体注出部（注出部）
３１  液体注出口（注出口）
３５  検知部
５０  ＬＥＤ発光装置
Ａ  ビールの注出方向
Ｂ  光の照射方向
【図１】
0003191408.tif 000003
【図２】
0003191408.tif 000004
【図３】
0003191408.tif 000005